(57)【要約】【課題】曲板が軸方向全長にわたって同一の円弧状となるように容易に組み立てることができる紙製広告体を提供する。【解決手段】広告を表示する紙を円弧状に曲げた曲板２と、その曲板２の周方向端縁３に沿って内径側に折り曲げた第１平板４と、曲板２の他方の周方向端縁５に沿って内径側に折り曲げた第２平板６とを有し、第１平板４の先端縁７が第２平板６の先端縁８に接続された紙製広告体１において、第２平板６の先端縁８に沿って曲板２の内周面に向けて折り曲げた第３平板１０を設け、その第３平板１０の先端縁１１で曲板２の内周面を軸方向全長にわたって支持する。【選択図】図１
2008134368.tif 000002
【特許請求の範囲】
【請求項１】
広告を表示する紙を円弧状に曲げた曲板（２）と、その曲板（２）の周方向端縁（３）に沿って内径側に折り曲げた第１平板（４）と、前記曲板（２）の他方の周方向端縁（５）に沿って内径側に折り曲げた第２平板（６）とを有し、第１平板（４）の先端縁（７）が第２平板（６）の先端縁（８）に接続された紙製広告体（１）において、前記第２平板（６）の先端縁（８）に沿って前記曲板（２）の内周面に向けて折り曲げた第３平板（１０）を設け、その第３平板（１０）の先端縁（１１）で前記曲板（２）の内周面を軸方向全長にわたって支持したことを特徴とする紙製広告体。
【請求項２】
前記第３平板（１０）の先端縁（１１）に連設した第４平板（１２）と第５平板（１３）を、第３平板（１０）の先端縁（１１）に沿って互いに反対方向に折り曲げ、その第４平板（１２）と第５平板（１３）とで前記第３平板（１０）の先端縁（１１）を前記曲板（２）に対して周方向に位置決めした請求項１に記載の紙製広告体。
【発明の詳細な説明】
【技術分野】
【０００１】
この発明は、商品陳列棚に設置して商品広告を行なう紙製広告体に関する。
【背景技術】
【０００２】
薬局やスーパーなどの商品陳列棚に商品を陳列する場合、店内を歩く消費者の注意を惹くため、広告を表示する広告体を商品陳列棚に設置することが多い。
【０００３】
このような広告体として、図５に示すように、広告を表示する紙を円弧状に曲げた曲板２１と、その曲板２１の周方向端縁２２に沿って内径側に折り曲げた第１平板２３と、曲板２１の他方の周方向端縁２４に沿って内径側に折り曲げた第２平板２５とを有し、第１平板２３の先端縁が第２平板２５の先端縁に接続された紙製広告体が知られている。この広告体は、曲板２１に表示した広告を消費者に向けて設置される。
【０００４】
また、この広告体は、第１平板２３の側縁２６と第２平板２５の側縁２７とを連結する連結板２８を有し、その連結板２８で第１平板２３と第２平板２５の間のなす角度を保持することにより、曲板２１の弾性復元力によって第１平板２３と第２平板２５の間の角度が広がるのを防止し、曲板２１を円弧状に保持している。
【発明の開示】
【発明が解決しようとする課題】
【０００５】
しかし、この紙製広告体は、連結板２８，２８が、曲板２１の軸方向両端に位置するので、曲板２１の弾性復元力によって、曲板２１の軸方向中央に対応する位置で曲板２１の湾曲が小さくなりやすく、曲板２１の形状を軸方向全長にわたって同一の円弧状にするのが難しい。さらに、曲板２１の軸方向中央に対応する位置で、曲板２１を手でたわませて塑性変形させ、曲板２１の形状を軸方向全長にわたって同一の円弧状にしようとすると、曲板２１に不測の折り目２９が入るおそれがあり、一旦、このような折り目２９が曲板２１に入ると、曲板２１を整った円弧状にするのが難しくなる。このように、この紙製広告体は、曲板２１が軸方向全長にわたって同一の円弧状となるように組み立てるのが難しかった。
【０００６】
この発明が解決しようとする課題は、曲板が軸方向全長にわたって同一の円弧状となるように容易に組み立てることができる紙製広告体を提供することである。
【課題を解決するための手段】
【０００７】
上記の課題を解決するために、前記第２平板の先端縁に沿って前記曲板の内周面に向けて折り曲げた第３平板を設け、その第３平板の先端縁で前記曲板の内周面を軸方向全長にわたって支持するようにした。
【０００８】
この紙製広告体は、前記第３平板の先端縁に連設した第４平板と第５平板を、第３平板の先端縁に沿って互いに反対方向に折り曲げ、その第４平板と第５平板とで前記第３平板の先端縁を前記曲板に対して周方向に位置決めすると好ましい。
【発明の効果】
【０００９】
この発明の紙製広告体は、第３平板の先端縁が、曲板の内周面を軸方向全長にわたって支持して曲板の弾性復元を防止するので、曲板の形状が軸方向全長にわたって同一の円弧状となりやすい。そのため、曲板が軸方向全長にわたって同一の円弧状となるように組み立てるのが容易である。
【００１０】
また、前記第３平板の先端縁に連設した第４平板と第５平板を、第３平板の先端縁に沿って互いに反対方向に折り曲げたものは、第４平板と第５平板とが前記第３平板の先端縁を前記曲板に対して周方向に位置決めするので、曲板の形状がくずれにくい。
【発明を実施するための最良の形態】
【００１１】
図１に、この発明の実施形態の広告体を示す。この広告体１は、紙を円弧状に曲げた曲板２と、曲板２の周方向端縁３に沿って内径側に折り曲げた第１平板４と、曲板２の他方の周方向端縁５に沿って内径側に折り曲げた第２平板６とを有する。
【００１２】
曲板２の外周面には、広告を表示する文字、図形、記号など（図示せず）が印刷されている。
【００１３】
第１平板４と第２平板６は、曲板２の半径に対応する長さに形成されている。また、第１平板４と第２平板６は、第１平板４の先端縁７が第２平板６の先端縁８に接続され、曲板２と第１平板４と第２平板６とで、断面扇形の筒体９が形成されている。筒体９の中には、第２平板６の先端縁８に沿って曲板２の内周面に向けて折り曲げた第３平板１０と、第３平板１０の先端縁１１に沿って互いに反対方向に折り曲げた第４平板１２、第５平板１３とが設けられている。
【００１４】
第３平板１０は、曲板２の半径に対応する長さに形成されており、先端縁１１で曲板２の内周面の周方向中央部を軸方向全長にわたって支持することによって、曲板２が弾性復元して湾曲前の状態に戻るのを阻止し、曲板２を円弧状に保持している。
【００１５】
第４平板１２は、先端縁１４が第１平板４で支持されており、第３平板１０が第１平板４側に倒れるのを防止している。第５平板１３は、先端縁１５が第２平板６で支持されており、第３平板１０が第２平板６側に倒れるのを防止している。このように、第４平板１２と第５平板１３とによって第３平板１０の倒れが防止され、第３平板１０の先端縁１１が曲板２に対して周方向に位置決めされている。
【００１６】
この広告体１のブランクは、図２に示すように、湾曲させる前の状態の曲板２と、曲板２の一端に連設された第１平板４と、曲板２の他端に連設された第２平板６と、第２平板６の先端縁に連設された第３平板１０とを有し、第３平板１０の先端縁１１には、先端縁１１に沿って隣り合う第４平板１２と第５平板１３が連設されている。また、第１平板４の先端縁７に差込片１６，１６が連設され、その各差込片１６に対応するスリット１７，１７が、第２平板６の先端縁８の位置に形成されている。
【００１７】
このブランクは、たとえば、次のように組み立てることができる。まず、図３に示すように、第２平板６の先端縁８に沿って第３平板１０を折り曲げ、第４平板１２と第５平板１３を、第３平板１０の先端縁に沿って互いに反対方向へ折り曲げる。つぎに、図４に示すように、曲板２の端縁５に沿って曲板２を折り曲げ、さらに、図１に示すように、曲板２の端縁３に沿って第１平板４を折り曲げ、差込片１６をスリット１７に差し込んで第１平板４の先端縁７と第２平板６の先端縁８を接続する。このとき、曲板２は、第３平板１０の先端縁１１で支持されて湾曲し、円弧状となる。
【００１８】
この広告体１は、第３平板１０の先端縁１１が、曲板２の内周面を軸方向全長にわたって支持して曲板２の弾性復元を防止するので、曲板２の形状が軸方向全長にわたって同一の円弧状となりやすい。そのため、曲板２が軸方向全長にわたって同一の円弧状となるように組み立てるのが容易である。
【００１９】
また、この広告体１は、第４平板１２と第５平板１３とが第３平板１０の先端縁１１を曲板２に対して周方向に位置決めするので、曲板２の形状がくずれにくい。
【００２０】
上記実施形態では、第３平板１０の先端縁１１に連設した２枚の平板（第４平板１２と第５平板１３）で第３平板１０の先端縁１１を曲板２に対して周方向に位置決めしているが、第３平板１０の先端縁１１に、先端縁１１に沿って隣り合う平板を３枚以上連設し、その各平板を第３平板１０の先端縁１１に沿って交互に反対方向に折り曲げ、その各平板で第３平板１０の先端縁１１を曲板２に対して周方向に位置決めするようにしてもよい。
【００２１】
また、上記実施形態では、広告体１の形状を安定化するために、第４平板１２と第５平板１３とで第３平板１０の先端縁１１を周方向に位置決めしているが、第４平板１２と第５平板１３は必須ではなく、第３平板１０の先端縁１１と曲板２の内周面の間の摩擦によって第３平板１０の先端縁１１の位置を保持するようにしてもよい。
【００２２】
また、上記実施形態では、第１平板４と第２平板６のなす角度が９０度の広告体１を例に挙げて説明したが、この発明は、第１平板４と第２平板６のなす角度が９０度以外の広告体に適用してもよく、たとえば、第１平板４と第２平板６のなす角度が１２０度の広告体に適用してもよい。
【００２３】
また、上記実施形態では、第１平板４の先端縁７と第２平板６の先端縁８は、差込片１６をスリット１７に差し込むことにより接続しているが、他の形式で接続してもよく、たとえば、第１平板４の先端縁７と第２平板６の先端縁８を粘着テープで接続するようにしてもよい。
【図面の簡単な説明】
【００２４】
【図１】この発明の実施形態の紙製広告体を示す斜視図
【図２】図１の紙製広告体のブランクを示す斜視図
【図３】図２のブランクの組立過程を示す斜視図
【図４】図２のブランクの組立過程を示す斜視図
【図５】従来の紙製広告体を示す斜視図
【符号の説明】
【００２５】
１      紙製広告体
２      曲板
３      周方向端縁
４      第１平板
５      周方向端縁
６      第２平板
７      先端縁
８      先端縁
１０    第３平板
１１    先端縁
１２    第４平板
１３    第５平板
【図１】
2008134368.tif 000003
【図２】
2008134368.tif 000004
【図３】
2008134368.tif 000005
【図４】
2008134368.tif 000006
【図５】
2008134368.tif 000007